(57)【要約】【課題】  高輝度で、光源近傍の入光むらを低減することが可能な導光板を提供する。  【解決手段】  互いに対向する第１及び第２主面１２、１４、第１及び第２主面１２、１４を囲む複数の側面を有し、少なくとも一つの側面を入光面１０とする基体４と、第１主面１２に配置され、入光面１０に直交する方向に延伸する複数の第１光学要素１６と、第２主面１４に配置され、入光面１０に平行な方向に延伸する複数の第２光学要素１８と、第２主面１４の入光面１０側に配置され、入光面１０に直交する方向に延伸する複数の第３光学要素２０とを備える。【選択図】  図１
2012164511.tif 000002
【特許請求の範囲】
【請求項１】
互に対向する第１及び第２主面、前記第１及び第２主面を囲む複数の側面を有し、少なくとも一つの側面を入光面とする基体と、
前記第１主面に配置され、前記入光面に直交する方向に延伸する複数の第１光学要素と、
前記第２主面に配置され、前記入光面に平行な方向に延伸する複数の第２光学要素と、
前記第２主面の前記入光面側に配置され、前記入光面に直交する方向に延伸する複数の第３光学要素
とを備えることを特徴とする導光板。
【請求項２】
前記複数の第３光学要素のそれぞれは、前記入光面に平行に切った断面形状が、３０度より大きく、５０度未満の範囲の底角を有する二等辺三角形であることを特徴とする請求項１に記載の導光板。
【請求項３】
前記複数の第３光学要素のそれぞれは、前記入光面に平行に切った断面形状が、２０度より大きく、４５度未満の範囲の底角を有する等脚台形であることを特徴とする請求項１に記載の導光板。
【請求項４】
前記複数の第３光学要素のそれぞれは、突起又は溝であることを特徴とする請求項１〜３のいずれか１項に記載の導光板。
【請求項５】
前記複数の第３光学要素が、前記入光面から、前記入光面に直交する方向に４ｍｍ以上、８ｍｍ以内の範囲の位置まで延伸することを特徴とする請求項１〜４のいずれか１項に記載の導光板。
【請求項６】
前記入光面から３ｍｍ離間した位置までの対象領域において、前記第１及び第２主面を前記入光面に直交する平面に投影したときに、前記対象領域の投影面積に対する前記複数の第１光学要素の投影面積の百分率と、前記対象領域の投影面積に対する前記複数の第３光学要素の投影面積の百分率との相加平均値が、１０％以上、６０％以下の範囲であることを特徴とする請求項５に記載の導光板。
【請求項７】
前記複数の第２光学要素のそれぞれは、前記入光面に垂直に切った断面において、前記基体の内部に向かう法線が前記入光面と交わる第１斜面、前記第１斜面に対向する第２斜面を有し、前記第１斜面が前記入光面の法線と成す角度が０．５度より大きく、５度未満の範囲、前記第２斜面が前記入光面の法線と成す角度が５０度より大きく、８０度未満の範囲であることを特徴とする請求項１〜６のいずれか１項に記載の導光板。
【請求項８】
前記複数の第１光学要素のそれぞれは、前記入光面に平行に切った断面形状が、９０度より大きく、１４０度未満の範囲の頂角を有する二等辺三角形であることを特徴とする請求項１〜７のいずれか１項に記載の導光板。
【請求項９】
前記複数の第１光学要素は、前記入光面に平行に切った断面形状が、９０度より大きく、１４０度未満の範囲の異なる頂角を有する複数の二等辺三角形を含むことを特徴とする請求項１〜７のいずれか１項に記載の導光板。
【請求項１０】
前記複数の第１光学要素のそれぞれは、突起又は溝であることを特徴とする請求項１〜９のいずれか１項に記載の導光板。
【請求項１１】
液晶表示素子を照射する面光源装置であって、
請求項１〜１０のいずれか１項に記載の導光板と、
前記入光面に対向して配置される光源と、
複数のプリズム列が形成された主面が前記第１主面に面するように配置されるプリズムシートと、
前記第２主面に面して配置される反射部材
とを備えることを特徴とする面光源装置。
【請求項１２】
液晶表示素子を照射する面光源装置であって、
請求項１〜１０のいずれか１項に記載の導光板と、
前記入光面に対向して配置される光源と、
前記第１主面に面して配置される反射部材と、
複数のプリズム列が形成された主面が前記第２主面に面するように配置されるプリズムシート
とを備えることを特徴とする面光源装置。
【請求項１３】
前記複数の第３光学要素が、前記入光面から、前記液晶表示素子の表示エリアの前記入光面側の端部に対応する位置を越えて表示エリア内に向かう方向に４ｍｍ以内の位置までの領域に配置されることを特徴とする請求項１１又は１２に記載の面光源装置。
【請求項１４】
前記入光面から３ｍｍ離間した位置までの対象領域において、前記第１及び第２主面を前記入光面に直交する平面に投影したときに、前記対象領域の投影面積に対する前記複数の第１光学要素の投影面積の百分率と、前記対象領域の投影面積に対する前記複数の第３光学要素の投影面積の百分率との相加平均値が、１０％以上、６０％以下の範囲であることを特徴とする請求項１３に記載の面光源装置。
【発明の詳細な説明】
【技術分野】
【０００１】
本発明は、液晶表示素子等を背面から照射する導光板及び面光源装置に関する。
【背景技術】
【０００２】
液晶表示素子は、自ら発光しない。したがって、画像を表示させるために、液晶表示素子の背面に照明光を出射する面光源装置が必要となる。面光源装置は、光源から入射した光を導光し出光面から出射させる導光板を備える。
【０００３】
面光源装置には、表示むらがなく、高輝度、高効率の性能が要求される。現在最も普及している面光源装置では、表示むらを防止するため、導光板の出光面上に２枚の上向きプリズムシートが配置されている。一方、より高輝度で高効率の面光源装置を実現する方式として、導光板の出光面上に下向きプリズムシートを用いることが提案されている（特許文献１及び２参照）。
【０００４】
下向きプリズムを用いた従来の面光源装置は、光源、導光板、反射部材、下向きプリズムシート、及び拡散シートを備える。導光板は、光源の発光面と対向して配置される。反射部材は、導光板の下面に配置される。下向きプリズムシートは、導光板の上面に配置される。拡散シートは、下向きプリズムシートの上に配置される。
【０００５】
光源は、発光ダイオード（ＬＥＤ）等の点光源が複数個用いられる。導光板では、光源に対向して配置された一側面が入光面、入光面に直交する一方の主面が出光面、他方の主面が反射面とされる。反射面には、入光面に平行な方向に延伸する光学要素が設けられる。照明光の均一化のために、入光面に直交する方向に延伸する微細な複数の光学要素を出光面に配置してもよい。
【０００６】
光源から出た光は、入光面から導光板内に導入される。光は、導光板内で反射面の光学要素で反射を繰り返し、臨界角以上になったとき出光面を通して導光板外に出射される。導光板外に出射された光は、下向きプリズムシートにより出光面の法線方向に偏向され、更に拡散シートを通って放射される。拡散シートは、液晶表示素子とのモアレを防止するために配置される。モアレ発生がない場合は、拡散シートは設けなくてもよい。
【０００７】
下向きプリズムシートを用いた面光源装置では、導光板から指向性の強い光を出射させることにより、高輝度、高効率を実現している。このため、導光板における光の拡散が弱く、入光面の近傍においては、複数の光源に対向する入光部のそれぞれで明部、入光部間では暗部、及び入光部付近に強い輝線等の入光むらが発生する。
【０００８】
入光むらを改善するため、導光板の下面から光を出射させ、反射部材の反射面に形成した光学要素により再度導光板へと反射させる方法が提案されている（特許文献３参照）。反射部材に設けられた光学要素は、導光板の入光面近傍に対応する領域においては光を拡散するような形状を用いている。
【０００９】
また、入光むらを改善するために、導光板の入光面において光を拡散させて、導光板内に光を均一に入射させる方法が取られている。あるいは、導光板の出光面において光を拡散させて、出光面から光を均一に出射させてもよい。この場合、入光面あるいは出光面には、ブラスト処理等により加工された粗面パターンやレンズパターンが配置される。入光面において光を拡散させる方法により、入光むらをある程度改善することはできる。しかしながら、従来の上向きプリズムシートを２枚用いる面光源装置の外観に比べると、入光むらの改善は十分とはいえない。
【先行技術文献】
【特許文献】
【００１０】
【特許文献１】特開２００５‐１４２０７８号公報
【特許文献２】特開２００８‐２１８４１８号公報
【特許文献３】国際公開２００５／０６１９５７号公報
【発明の概要】
【発明が解決しようとする課題】
【００１１】
本発明は、高輝度であり、光源近傍の入光むらを低減することが可能な導光板及び面光源装置を提供することを目的とするものである。
【課題を解決するための手段】
【００１２】
上記目的を達成するため、本発明の第１の態様は、互いに対向する第１及び第２主面、第１及び第２主面を囲む複数の側面を有し、少なくとも一つの側面を入光面とする基体と、第１主面に配置され、入光面に直交する方向に延伸する複数の第１光学要素と、第２主面に配置され、入光面に平行な方向に延伸する複数の第２光学要素と、第２主面の入光面側に配置され、入光面に直交する方向に延伸する複数の第３光学要素とを備える導光板であることを要旨とする。
【００１３】
本発明の第２の態様は、液晶表示素子を照射する面光源装置であって、本発明の第１の態様による導光板と、入光面に対向して配置される光源と、複数のプリズム列が形成された主面が第１主面に面するように配置されるプリズムシートと、第２主面に面して配置される反射部材とを備える面光源装置であることを要旨とする。
【００１４】
本発明の第３の態様は、液晶表示素子を照射する面光源装置であって、本発明の第１の態様による導光板と、入光面に対向して配置される光源と、第１主面に面して配置される反射部材と、複数のプリズム列が形成された主面が第２主面に面するように配置されるプリズムシートとを備える面光源装置であることを要旨とする。
【発明の効果】
【００１５】
本発明によれば、高輝度であり、光源近傍の入光むらを低減することが可能な導光板及び面光源装置を提供することができる。
【図面の簡単な説明】
【００１６】
【図１】本発明の実施の形態に係る面光源装置の一例を示す側面概略図である。
【図２】本発明の実施の形態に係る導光板の一例を示す上面図である。
【図３】図２に示した導光板のＡ−Ａ断面の一例を示す図である。
【図４】図２に示した導光板のＡ−Ａ断面の他の例を示す図である。
【図５】図２に示した導光板の下面図である。
【図６】図５に示した導光板のＢ−Ｂ断面の一例を示す図である。
【図７】図５に示した導光板のＣ−Ｃ断面の一例を示す図である。
【図８】図５に示した導光板のＣ−Ｃ断面の他の例を示す図である。
【図９】図５に示した導光板のＣ−Ｃ断面の他の例を示す図である。
【図１０】図５に示した導光板のＣ−Ｃ断面の他の例を示す図である。
【図１１】本発明の実施の形態に係る面光源装置の他の例を示す側面概略図である。
【発明を実施するための形態】
【００１７】
次に、図面を参照して、本発明の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１８】
又、以下に示す実施の形態は、この発明の技術的思想を具体化するための装置や方法を例示するものであって、この発明の技術的思想は、構成部品の材質、形状、構造、配置等を下記のものに特定するものでない。この発明の技術的思想は、特許請求の範囲において、種々の変更を加えることができる。
【００１９】
本発明の実施の形態に係る面光源装置の一例を図１に示す。光源１、導光板３、プリズムシート５、拡散シート９、反射部材７を備える。導光板３は、基体４、基体４の第１主面１２に設けられた複数の第１光学要素１６、第１主面に対向する第２主面１４に設けられた複数の第２光学要素１８及び複数の第３光学要素２０を備える。入光面１０から、面光源装置で照射される液晶表示素子の表示エリア３０の入光面１０側の端部までの幅Ｌの領域を入光エリア３２とする。
【００２０】
光源１は、導光板３の入光面１０に面するように配置される。プリズムシート５は、複数のプリズム列２６が形成された主面が導光板３の出光面である第１主面１２に面するように配置される。拡散シート９は、プリズムシート５を挟んで導光板３と対向するように配置される。反射部材７は、導光板３の反射面である第２主面１４に面するように配置される。
【００２１】
導光板３には、図２及び図５に示すように、略矩形状の基体４が用いられる。基体４の第１及び第２主面１２、１４を囲む４側面のうち、一つの側面を入光面１０とする。入光面１０に対向して複数の、例えば３個の光源１が配置される。以下の説明においては、矩形状の基体４を用いて説明するが、基体４の形状は限定されない。例えば、基体４として、四角形以上の多角形を用いてもよい。また、基体４に用いる多角形の複数の側面を入光面として用いてもよい。
【００２２】
基体４として、ポリメタクリル酸メチル（ＰＭＭＡ）、ポリカーボネート（ＰＣ）、シクロオレフィンポリマ（ＣＯＰ）、シクロオレフィンコポリマ（ＣＯＣ）等の透明な熱可塑性プラスチックが用いられる。導光板３の第１〜第３光学要素１６、１８、２０は、射出成形法等により基体４に形成される。
【００２３】
導光板３の入光面１０には、光源１から出射された光を進行方向に対して略直交方向に広げる異方拡散光学パターンが設けられる。異方拡散光学パターンは、例えば、波状、円弧状、Ｖ字状等のパターンが導光板３の厚さ方向に延伸するように設けられる。特に、波状パターンは拡散性が強く、輝線の発生を抑制することができるため好ましい。
【００２４】
基体４の第１主面１２には、図２に示すように、入光面１０に直交する方向に延伸する複数の第１光学要素１６が設けられる。複数の第１光学要素１６は、第１主面１２の全体に設けられる。各第１光学要素１６は、図３に示すように、入光面１０に平行に切った断面形状が、頂角θを有する二等辺三角形である突起であることが好ましい。頂角θは、９０度より大きく、１４０度未満の範囲であることが好ましい。また、複数の第１光学要素１６には、９０度より大きく、１４０度未満の範囲で、２以上、好ましくは３以上の異なる複数の頂角θを有する二等辺三角形が含まれることが好ましい。なお、第１光学要素として、図４に示すように、溝形状を用いた場合でも同等の効果を奏することができる。
【００２５】
第１光学要素１６は、導光板３の内部を伝播する光で入光面１０に平行な方向に傾いた光を、正面方向（出光面の法線方向）に近づけて導光板３から出射させ、正面方向の光量を増やす機能を有している。頂角θを９０度より大きく、１４０度未満の範囲とすることにより、効率よく正面方向の光量を増やすことができ、高輝度な導光板を実現することができる。また、頂角θが９０度より大きく、１４０度未満の範囲内である異なる複数の頂角θを有する二等辺三角形を使用することにより、正面方向の光量を調整することができ、指向性を弱めたり、強めたり任意の光出射特性とすることが可能となる。
【００２６】
また、複数の第１光学要素１６の高さは、５μｍ以上、より好ましくは６μｍ以上である。第１光学要素１６の高さが５μｍ未満では、第１主面１２に面して配置されるプリズムシート５との密着が発生しやすくなり、表示欠陥が発生しやすくなる。
【００２７】
基体４の第２主面１４には、図５に示すように、入光面１０に平行な方向に延伸する複数の第２光学要素１８、及び入光面１０に直交する方向に延伸する複数の第３光学要素２０が設けられる。複数の第２光学要素１８は、第２主面の全体に設けられる。複数の第３光学要素２０は、図１及び図５に示すように、入光面１０から、入光エリア３２と表示エリア３０との境界から表示エリア３０側に幅ＤＬで越えた位置までの領域に設けられる。
【００２８】
複数の第２光学要素１８のそれぞれは、図６に示すように、入光面１０に垂直に切った断面において、第１斜面２２及び第２斜面２４を有する突起形状が好ましい。導光板３の内部に向かう法線が入光面１０に平行な面と交わる斜面が第１斜面２２で、入光面１０に平行な面と交わらない斜面が第２斜面２４である。入光面１０に垂直な方向における第１斜面２２の幅は、６０μｍ〜百数十μｍの範囲が好ましい。第１斜面２２が入光面１０の法線と成す角度αは、０．５度より大きく、５度未満の範囲、好ましくは０．５度より大きく、３度未満の範囲が好ましい。第２斜面２４が入光面１０の法線と成す角度βは、５０度より大きく、８０度未満の範囲、好ましくは、７０度より大きく、８０度未満の範囲が好ましい。
【００２９】
角度αが５度以上では、入光面１０側で多くの光が出射されてしまう。角度αが０．５度以下では、入光面と対向する側面側で多くの光が出射する傾向がある。このため、面光源装置にて、面内を均一に発光させるためには、角度αを０．５度より大きく、５度未満の範囲とすることが好ましい。
【００３０】
角度βが５０度以下であると、入光面１０と対向する側面で反射された光が第２斜面２４で反射され、規定の角度より傾いた方向で導光板３の外に出射される。そのため、面光源装置を斜めから見た時に、部分的に明るい部分が発生するという表示不具合が発生する。また、角度βを８０度以上とすると、射出成形時に第２光学要素１８の角部分が金型に取られ、カケ等の成形不具合が発生する傾向がある。
【００３１】
また、複数の第２光学要素１８の高さは、５μｍ以上、より好ましくは６μｍ以上である。第２光学要素１８の高さが５μｍ未満では、第２主面１４に面して配置される反射部材７との密着が発生しやすくなり、表示欠陥が発生しやすくなる。
【００３２】
複数の第３光学要素２０のそれぞれは、図５及び図７に示すように、入光面１０に平行に切った断面形状が、底角ηを有する二等辺三角形である突起形状が好ましい。底角ηは、２０度より大きく、４５度未満の範囲が好ましい。第３光学要素２０は、第１光学要素１６と同様に、導光板３の内部を伝播する光で入光面１０に平行な方向に傾いた光を正面方向（出光面の法線方向）に近づけて導光板３から出射させ、正面方向の光量を増やす機能を有している。第３光学要素２０の底角ηを２０度より大きく、４５度未満の範囲とすることにより、効率よく正面方向の光量を増やすことが可能となる。
【００３３】
また、複数の第３光学要素２０は、図１に示したように、入光面１０から、表示エリア３０の入光面１０側の端部に対応する位置を越えて表示エリア３０内に向かう方向に４ｍｍ以内の幅ＤＬの位置までの領域に配置される。即ち、通常の液晶表示装置の入光エリア３２の幅Ｌは４ｍｍであるので、第３光学要素２０が配置される領域の入光面１０からの幅（Ｌ＋ＤＬ）は、入光面１０に直交する方向に４ｍｍ以上、８ｍｍ以内の範囲である。幅ＤＬが４ｍｍを超えると、第３光学要素２０の配置されている領域と配置されてない領域の境界が視認されてしまい、表示欠陥が発生し易くなる。
【００３４】
また、複数の第３光学要素２０の高さは、入光面１０の端部で１０μｍ〜１５μｍで、表示エリア３０に向かって徐々に低くなり、幅（Ｌ＋ＤＬ）で略０となる。第３光学要素２０の高さを入光面１０の端部で１０μｍ〜１５μｍとするのは、後述する第１及び第３光学要素１６、２０の斜面割合との兼ね合いと、第３光学要素２０を幅（Ｌ＋ＤＬ）内に配置するためである。入光面１０の近傍で第３光学要素２０の高さを高くすることにより、入光面１０の近傍の表示むらを低減することができる。
【００３５】
第３光学要素２０として、突起形状を用いて説明したが、図８に示すように、入光面１０に平行に切った断面が底角ηを有する二等辺三角形の溝であっても突起とした場合と同等の効果を奏することができる。また、図９あるいは図１０に示すように、入光面１０に平行に切った断面形状が、底角ηを有する等脚台形の突起又は溝であっても二等辺三角形の突起又は溝を用いた場合と同等の効果を奏することができる。
【００３６】
実施の形態に係る導光板３では、光源１から出た光は、入光面１０を通って導光板３内に導入される。導光板３内を導波する光は、第２主面１４の第２光学要素１８の第１斜面２２で反射を繰り返す。第１主面１２において臨界角以上になった光は、導光板３からプリズムシート５に向かって出射される。第２主面１４において臨界角以上になった光は、導光板３から反射部材７に向かって出射され、反射部材７で反射されて第２主面１４を通って再度導光板３内に導入される。
【００３７】
導光板３内を導波して第１主面１２に到達した光は、第１主面１２の平坦部に比べて、第１光学要素１６の斜面において、屈折により導光板３外に出射される機会が多い。同様に、第２主面１４に到達した光は、第２主面の第２光学要素１８の第１斜面２２に比べて、第３光学要素２０の斜面において、屈折により導光板３外に出射される機会が多い。例えば、入光エリア３２において、第１及び第３光学要素１６、２０の斜面の割合が小さいと入光エリア３２が暗くなる。それに対して、入光エリア３２において、第１及び第３光学要素１６、２０の斜面の割合が大きいと入光エリア３２が明るくなる。即ち、入光エリア３２における表示むらを抑制するためには、第１及び第３光学要素１６、２０の斜面の割合を適切に設定する必要がある。
【００３８】
一般的な面光源装置では、入光面から表示エリアまでの距離、即ち入光エリアの幅は約４ｍｍである。公差等を考慮すると、入光面から３ｍｍを越える領域で表示むらが発生しないようにする必要がある。また、通常、複数の光源の間隔は、６ｍｍ〜１５ｍｍの範囲である。このことより、複数の光源１の間隔を６ｍｍ〜１５ｍｍとして、入光面１０から３ｍｍ離間した位置までの領域において、表示むらが抑制できる斜面割合を光学シミュレーションにより算出した。その結果、斜面割合が１０％以上、６０％以下の範囲で表示むらを抑制することができることを確認した。ここで、「斜面割合」は、入光面１０から３ｍｍ離間した位置までの対象領域において、第１及び第２主面１２，１４を入光面１０に直交する平面に投影したときに、対象領域の投影面積に対する複数の第１光学要素１６の投影面積の百分率と、対象領域の投影面積に対する複数の第３光学要素２０の投影面積の百分率との相加平均値と定義する。
【００３９】
上述のように、実施の形態に係る導光板３では、第２主面１４の入光面１０側に、入光面１０に直交する方向に延伸する第３光学要素２０を配置する。第３光学要素２０を、入光面１０から、入光面１０に直交する方向に４ｍｍ以上、８ｍｍ以内の範囲の位置までの領域、即ち、入光面１０から、表示エリア３０の入光面１０側の端部に対応する位置を越えて表示エリア３０内に向かって４ｍｍ以内の位置までの領域に配置することにより、表示むらを抑制することができる。また、入光面１０から３ｍｍ離間した位置までの対象領域において、第１及び第３光学要素１６、２０の斜面割合を１０％以上、６０％以下の範囲にすることにより、表示むらを抑制することができる。
【００４０】
また、実施の形態に係る面光源装置では、複数のプリズム列２６が形成された主面が導光板３に対向してプリズムシート５が拡散シート９と導光板３の間に配置される。その結果、高輝度、高効率の面光源装置を実現することができる。
【００４１】
なお、上述の説明において、図１に示したように、導光板３の第１主面１２を出光面、第２主面１４を反射面としている。しかし、図１１に示すように、第２主面１４を出光面として、プリズムシート５と面するように配置しても同等の効果を得ることができる。この場合、第１主面１２から出射した光は、第１主面１２と面する反射部材７により反射され、導光板３内に再度導入される。
【００４２】
（その他の実施の形態）
上記のように、本発明は本発明の実施の形態によって記載したが、この開示の一部をなす論述及び図面は本発明を限定するものであると理解すべきではない。この開示から当業者には様々な代替実施の形態、実施例及び運用技術が明らかとなろう。したがって、本発明の技術的範囲は上記の説明から妥当な特許請求の範囲に係わる発明特定事項によってのみ定められるものである。
【産業上の利用可能性】
【００４３】
本発明の導光板及び面光源装置は、携帯電話機、ゲーム機器、電子手帳、カーナビゲーション、ノートＰＣ、ＴＶ等の液晶表示装置等に用いることができる。
【符号の説明】
【００４４】
１…光源
３…導光板
４…基体
５…プリズムシート
７…反射部材
９…拡散シート
１０…入光面
１２…第１主面
１４…第２主面
１６…第１光学要素
１８…第２光学要素
２０…第３光学要素
２２…第１斜面
２４…第２斜面
２６…プリズム列
３０…表示エリア
３２…入光エリア
【図１】
2012164511.tif 000003
【図２】
2012164511.tif 000004
【図３】
2012164511.tif 000005
【図４】
2012164511.tif 000006
【図５】
2012164511.tif 000007
【図６】
2012164511.tif 000008
【図７】
2012164511.tif 000009
【図８】
2012164511.tif 000010
【図９】
2012164511.tif 000011
【図１０】
2012164511.tif 000012
【図１１】
2012164511.tif 000013